(57)【特許請求の範囲】
【請求項１】
情報を記録するための磁気記録層を有する写真フィルムに付着した付着物を除去する除去部材と、
写真フィルムの磁気記録層を前記除去部材に押圧し、写真フィルムの移動に伴って回転するローラと、
を備え、
前記除去部材は、柔軟な吸水部材に布が被されている、ことを特徴とするフィルムクリーナ。
【請求項２】
前記除去部材は、前記付着物を除去するための汚れ除去液を吸収すると湿り状態になることを特徴とする請求項１に記載のフィルムクリーナ。
【請求項３】
写真フィルムの長手方向端部を所定形状に切断するカッタを備えたことを特徴とする請求項１または請求項２に記載のフィルムクリーナ。
【発明の詳細な説明】
【０００１】
【発明の属する技術分野】
本発明は、写真フィルムに付着した異物を除去するフィルムクリーナに関する。
【０００２】
【従来の技術】
カメラにより撮影された画像に関する撮影情報（例えば、ストロボの有無、被写体までの距離、フォーカス、被写体照明の色温度、撮影時に日付、ユーザーＩＤの各情報）等の情報は、プリントやディスプレイ表示をするために有効である。このため、写真フィルム、特にネガフィルムに情報を記録する方法として、ネガフィルムへ透明磁性体を塗布して、このネガフィルムを特定する情報及びネガフィルムに焼付けられた画像を特定する情報を磁気記録することが提案されている（一例として、International Publication Number WO 90/04205）。これによれば、画像コマにそれぞれ対応して情報を記録させることができ、更に、ラボでは、印画紙への焼付時に画像コマ毎に焼付時の露光量等を記録しておくこともできる。
【０００３】
このように、写真フィルムに透明磁気層を付与し、それに情報を磁気記録することによって、例えば、プリント時にプリントサイズを変更したり、色味を向上させたり、ユーザーの好みのタイトルをプリントに焼付けたりすることができる。このような透明磁気層を有する写真フィルムを用いて、カメラ、ラボ機器、ＴＶフォトプレーヤー等の機械において、磁気ヘッドと写真フィルムとが相対的に摺動することにより、磁気情報の記録再生をすることができる。
【０００４】
ところで、磁気ヘッドと写真フィルムとの相対的な摺動によって、空気中のゴミ、埃や写真フィルムから発生する削れ屑等が磁気ヘッド表面に堆積することがあり、情報を記録再生するための性能が劣化していた。この問題を解決するために、従来、写真フィルム表面に研磨剤を充分含んだ研磨層を設けて、摺動時の研磨剤の研磨作用によって、磁気ヘッドに堆積したゴミ等を削り落とすようにしている。
【０００５】
【発明が解決しようとする課題】
しかしながら、写真フィルムの接触部分は、磁気ヘッドに堆積したゴミ等のみではないため、従来のように、研磨剤を写真フィルムに充分含ませて、情報の記録再生性能が劣化しないようにすると、磁気ヘッドや搬送路等、堆積物以外の部分も研磨剤の研磨作用により摩耗することがある。
【０００６】
本発明は、上記事実を考慮して、磁気ヘッドへの汚れ付着を防止できるフィルムクリーナを得ることが目的である。
【０００７】
【課題を解決するための手段】
請求項１に記載のフィルムクリーナは、情報を記録するための磁気記録層を有する写真フィルムに付着した付着物を除去する除去部材と、写真フィルムの磁気記録層を前記除去部材に押圧し、写真フィルムの移動に伴って回転するローラと、情報を記録するための磁気記録層を有する写真フィルムに付着した付着物を除去する除去部材と、を備え、前記除去部材は、柔軟な吸水部材に布が被されている、ことを特徴としている。
【０００８】
次に、請求項１の作用を説明する。
【０００９】
請求項１に記載のフィルムクリーナは、磁気記録層が除去部材に向くように写真フィルムを置き、フィルムクリーナの除去部材を磁気記録層に押し当てながら写真フィルムの長手方向に沿って移動することにより磁気記録層に付着した付着物（汚れ）を除去することができる。
【００１０】
これにより、磁気ヘッドに汚れが生じ難くなり、磁気ヘッドで磁気情報の読み取り又は記録を正確に行うことができる。
【００１１】
このとき、ローラが写真フィルムの磁気記録層を除去部材に押圧するので、写真フィルム又はフィルムクリーナの少なくとも一方を移動させれば、除去部材が磁気記録層の表面を摺動して付着物を除去する。
【００１２】
ローラが写真フィルムの移動に伴って回転するので、写真フィルム又はフィルムクリーナの少なくとも一方を移動させるときの摺動抵抗が軽減され、また、擦り傷を防止することができる。
【００１３】
請求項２に記載の発明は、請求項１に記載のフィルムクリーナにおいて、前記除去部材は、前記付着物を除去するための汚れ除去液を吸収すると湿り状態になることを特徴としている。
【００１４】
次に、請求項２の作用を説明する。
【００１５】
除去部材に汚れ除去液を吸収させて湿り状態とすることにより、乾燥状態よりも汚れの除去作用が高まる。また、静電気の発生も防止できる。
【００１６】
請求項３に記載の発明は、請求項１または請求項２に記載のフィルムクリーナにおいて、写真フィルムの長手方向端部を所定形状に切断可能なカッタを備えたことを特徴としている。
【００１７】
次に、請求項３の作用を説明する。
【００１８】
吊り現処理等をして端部に変形をきたした写真フィルムの端部をカッタで切断すれば、これによって端部を新たに所定形状に形成することができる。
【００１９】
【発明の実施の形態】
「第１の実施形態］
本発明の第１の実施形態に係るフィルムクリーナを図１乃至図４にしたがって説明する。
【００２０】
図１に示すように、フィルムクリーナ１０は、矩形ブロック状の本体１２を備えている。
【００２１】
本体１２は、上部１２Ａ及び下部１２Ｂとに分割可能とされ、上部１２Ａと下部１２Ｂはビス１４によって一体化されている。
【００２２】
図２に示すように、上部１２Ａの下面には、矢印Ｒ方向に延びる幅広の浅溝１６が形成されており、下部１２Ｂの上面には、浅溝１６と対になる浅溝１８が形成されている。
【００２３】
この浅溝１６及び浅溝１８によって、フィルムＦの挿通路２０が形成されている。挿通路２０の出入口には、面取り２２が成されており、フィルムＦが挿入し易くなっている。
【００２４】
この挿通路２０は、幅がフィルムＦの幅よりも若干大きく、高さがフィルムＦの厚みよりも若干大きくされている。
【００２５】
下部１２Ｂの浅溝１６の中央には、凹部２４が形成されており、この凹部２４には除去部材２６が取り付けられている。
【００２６】
この除去部材２６は、吸水性を有しており、スポンジ、フェルト等の柔軟な吸水部材２８に布３０を被せたものである。この布３０としては、繊維の脱落が少ない合成繊維の長繊維製のものが適しているが、天然繊維（木綿等）などの短繊維製のものであっても良い。
【００２７】
また、下部１２Ｂには、下面から凹部２４に通じる細孔３２が形成されている。細孔３２の下面側の開口部は、大径に形成されており、図３に示すように、汚れ除去液の入れられたボトル３４のノズル３４Ａが挿入できるようになっている。
【００２８】
汚れ除去液としては、イソプロピルアルコール、メタノール等のアルコール類が好ましい。しかし、必ずしもアルコールのみでなくとも良く、水のみでも良いし、アルコールと水の混合液でも良く、除去部材２６を湿らせてフィルムＦの汚れを除去できる液体であればどの様な液体でも良い。なお、フィルムＦに悪影響を及ぼすものは使用できないのは言うまでもない。
【００２９】
図２に示すように、上部１２Ａには、下部１２Ｂの凹部２４に対向した部分に、断面略半円状の凹部４０が形成されている。この凹部４０には、ゴムローラ４２が収容されている。このゴムローラ４２は、シャフト４４の外周部分に円筒状のウレタンゴムからなるローラ部材４６を一体化したものである。
【００３０】
図２及び図４に示すように、シャフト４４の両端（図２及び図４では片方のみ図示）は、各々軸受け部材５０の孔５２に回転自在に挿入されている。
【００３１】
軸受け部材５０は、浅溝１６と直交する方向（矢印Ｕ方向）に延びる溝５４内にスライド可能に挿入されている。この軸受け部材５０は、スプリング５６によって下部１２Ｂ側に付勢されており、これにより、ゴムローラ４２と除去部材２６との間でフィルムＦを挟むことが出来るようになっている。
【００３２】
なおスプリング５６は、上部１２Ａの上面に貫通する孔５８から挿入されており、この孔５８は、押え板６０で塞がれている。なお、図１に示すように、押え板６０はビス６２で上部１２Ａに取り付けられている。なお、ゴムローラ４２、軸受け部材５０及びスプリング５６が本発明の押圧手段に相当している。
（フィルムＦ）
次に、このフィルムクリーナ１０でクリーニングを行うフィルムＦの一例を図５及び図６にしたがって説明する。
【００３３】
図５に示すように、フィルムＦは、透明ベース７２の上面に乳剤層７４が設けられ、画像が記録されるようになっている。透明ベース７２の図５の下面には、透明磁性体がフィルムＦの全面に塗布された磁気記録層７６が設けられている。この磁気記録層７６では磁性層として含まれる磁性粒子の充填率を減少させて光学的な透過濃度が小さくされている。
【００３４】
図６に示すように、磁気記録読み取り領域は、各画像コマ７８に対応するトラックＴ１，Ｔ２．Ｔ３，Ｔ４及び先頭トラックＴ１〜Ｔ４に隣り合う画像コマ７８が記録されていない部分のトラックＳ１、Ｓ２，Ｓ３，Ｓ４によって構成されている。例えば、このトラックＳ１〜Ｓ４はフィルムＦの１本毎に必要な情報を記録する領域であり、トラックＴ１〜Ｔ４は画像コマ７８毎に必要な情報を記録する領域である。また、フィルムＦには、複数のパーフォレーションＰが図示しないカメラにより撮影される画像コマ７８に対応するように設けられている。図６の例では、撮影される画像コマ７８に対応して画像コマ７８端部付近に各１対のパーフォレーションＰが設けられている。
（プリンタ）
次に、磁気記録層７６の設けられたフィルムＦを用いるプリンタの一例を説明する。
【００３５】
図７に示すように、プリンタ３００は、光源３１４を有している。この光源３１４から照射される光線の焼付光路Ｌには、その最上方にプリントマスク３１６が配置され、ロール状印画紙１６の一部を挟持して、焼付位置へ固定している。ロール状印画紙１６は、その両方が回転軸３１８、３２０に層状に巻き取られており、プリントマスク３１６の下流側には、一対の搬送ローラ３２２が設置され、印画紙１６を挟持している。搬送ローラ３２２は、モータ３４４の駆動力で図７の矢印Ａ方向へ回転され、一方の層状巻取部（図７の左側層状巻取部）の外周から印画紙先端を引き出して、他方の回転軸３２０へ巻取る構成である。  巻き出し用回転軸３１８とプリントマスク３１６との間の印画紙１６は、テンシヨンローラ３４６に巻掛けられている。また、搬送ローラ３２２の下流側にも、テンシヨンローラ３４８が配設され、印画紙１６が巻掛けられている。これらのテンシヨンローラ３４６、３４８はその軸直角方向へ移動可能とされており、印画紙搬送時のテンシヨンを一定に保持するようにしている。
【００３６】
プリントマスク３１６の下方の焼付光路Ｌ上には、ネガキャリア３０２が配設され、長尺状のフィルムＦの一部を挟持して、所定位置へ固定している。フィルムＦは、その両方が、回転軸３５２、３５４に層状に巻き取られており、ネガキャリア３０２の下流側には、一対の搬送ローラ３５６が設置され、フィルムＦを挟持している。一対の搬送ローラ３５６は、モータ３５８の駆動力で図７の矢印Ｂ方向へ回転され、一方の層状巻取部（図７の左側巻取部）の外周からフィルムＦを引き出して、他方の回転軸３５４へ巻取る構成である。
【００３７】
巻き出し用回転軸３５２とネガキャリア３０２との間のフィルムＦは、テンシヨンローラ３６８に巻掛けられている。また、搬送ローラ３５６の下流側にも、テンシヨンローラ３７０が配設され、フィルムＦが巻掛けられている。これらのテンシヨンローラ３６８、３７０はその軸直角方向へ移動可能とされており、フィルムＦの搬送時のテンシヨンを一定に保持するようにしている。
【００３８】
また、テンションローラ３６８とネガキャリア３０２との間には、図示しない筐体に固定されたプレート３７３Ａ，３７３Ｂ（図８参照）に配設された磁気情報再生部３７２が配設されている（詳細は後述）。このため、フィルムＦは、この磁気情報再生部３７２を通過してネガキャリア３０２へ至ることになる。
【００３９】
また、磁気情報再生部３７２の上流側には、フィルムＦの有無や終端を検出するための光学センサ５０、及びフィルムＦに予め製造時等に記録された磁気情報が記録されていないことを表すマークを検出するためのバーコードリーダーやラインセンサ等の光学センサ５１が配設されている。フィルムの終端は、ＬＳＩカードから終端情報を得ることができるが、ＬＳＩカードを用いずに、長尺のロール状フィルム及びフィルムＦの終端を検出するためには、透過光量及び反射光量の差や予め設定された識別子で判別できる。このマークは、簡易カメラや通常の磁気記録層を有しないフィルムに対して、光学的に付与されている。なお、このマークは、物理的なマーク、例えば、１または複数穿孔列や切り欠きでもよい。また、光学的なマークや物理的なマークは、簡易カメラ等を処理する場合に、大ラボ内で付与するようにしてもよい。このように、光学的または物理的なマークが予め付与されていれば、光学センサ５１の出力信号から容易に磁気情報が記録されていないことを判別することができる。
【００４０】
上記ネガキャリア３０２とプリントマスク３１６との間には、焼付用レンズ３７４とブラックシャッタ３７６とが配置されている。ブラックシャッタ３７６は、ドライバ３７８からの駆動信号に応じて光路Ｌ上に挿入又は離脱可能とされている。また、焼付用レンズ３７４は、ドライバ３８０からの駆動信号に応じて光路Ｌに沿って移動可能となっており、これにより引伸倍率を変更することができる。
【００４１】
ネガキャリア３０２と光源３１４との間には、Ｃ（シアン）、Ｍ（マゼンタ）、Ｙ（イエロー）の各色のカットフィルタ３８２、３８４、３８６が配設されている。これらのカットフィルタ３８２、３８４、３８６はそれぞれドライバ３８８、３９０、３９２からの信号に応じて、光路Ｌ上へ挿入又は離脱されるようになっている。
【００４２】
ネガキャリア３０２の斜め上方には、受光器３９４が配設されている。受光器３９４はネガキャリア３０２に位置決めされているフィルムＦに撮影された画像の濃度情報を検出し、その検出値を制御部３９６へ供給するようになっている。制御部３９６では、この濃度情報に基づいて露光補正量が演算され、この演算結果に基づいて基準となる露光量を補正し、補正された露光量に応じて前記ブラックシャッタ３７６及びカットフィルタ３８２、３８４、３８６を制御している。
【００４３】
上記プレート３７３Ａ，３７３Ｂに配設された磁気情報再生部３７２は、磁気ヘッドユニット３６２と、ローラーユニット３６４とから構成され（図８（Ａ）参照）、フィルムＦを挟持して、搬送中のフィルムＦから磁気情報を読み取る（再生する）ことができるようになっている。また、磁気ヘッドユニット３６２と、ローラーユニット３６４とは、相対的に離間または接近可能である。次に、この構成について説明する。
【００４４】
図８（Ａ）に示したように、プレート３７３Ａには、開口部が穿設されており、プレート３７３Ａの裏面には、アタッチメント３７５が固定されている。このアタッチメント３７５のフィルム側３７５Ａにガイド３６９に保持された磁気ヘッド３７１が固定されている。この磁気ヘッド３７１の出力端は、再生された信号が制御部３９６（図７参照）に入力されるように制御部３９６に接続される。これにより、フィルムＦを搬送させながら既に記録された情報の再生が可能である。このガイド３６９は、磁気ヘッド３７１の先端部分がフィルムＦの搬送路付近に位置するように調整されている。
【００４５】
また、プレート３７３Ｂには開口部が穿設されており、この開口部にはローラー３８９が位置するようになっている。このローラー３８９はベアリング機構３８７に回動可能に軸支され、このベアリング機構３８７はアーム３８５の先端部（図８左側先端部）付近に固定されている。アーム３８５の後端部（図８右側端部）は、プレート３７３Ｂに穿設された開口部から所定距離隔てた位置に形成された軸受部３７３Ｃにアーム３８５が旋回可能（図８の矢印Ａ方向及び逆方向）に軸支されている。このアーム３８５の長手方向略中腹部にはバネ３８３の一端が固定され、バネ３８３の他端はプレート３７３Ｂに固定されている。このバネ３８３の弾性力により、ローラー３８９が磁気ヘッド３７１に付勢される。
【００４６】
また、アーム３８５のバネ３８３が固定された部位とアーム３８５の後端部（軸受部３７３Ｃ）の中腹部位には、スピンドル３７９の先端部３７９Ａが軸支されている。このスピンドル３７９は制御部３９６に接続されたソレノイド３７７の可動子として機能する。このソレノイド３７７は、制御部３９６からの制御信号によるオンオフにより伸縮する。ソレノイド３７７がオンのときはソレノイド３７７にバネ３８３の弾性力に抗する吸引力が発生し、スピンドル３７９が軸方向（図８矢印Ｂ方向）に移動する。これにより、テコの原理によってアーム３８５の先端部が（図８矢印Ａの逆方向に）旋回し、磁気ヘッド３７１に対するローラー３８９の付勢力が解除される（図８（Ｂ）参照）。一方、ソレノイド３７７がオフになると、バネ３８３の弾性力により、ローラー３８９が磁気ヘッド３７１に付勢される。
【００４７】
次に、本実施形態の作用を説明する。
【００４８】
先ず、フィルムＦの汚れ除去に先立って、図３に示すように、汚れ除去液の入れられたボトル３４のノズル３４Ａをフィルムクリーナ１０の細孔３２に挿入し、適量の汚れ除去液を注入して除去部材２６を適度に湿らせる。
【００４９】
次に、図１，２に示すように、磁気記録層７６が除去部材２６側となるうようにフィルムＦを挿通路２０の一方から差し込んで、反対側から引き出す。  このとき、フィルムＦは１本づつ汚れ除去を行っても良く、複数のフィルムＦを連結し、連続して汚れ除去を行っても良い。なお、ゴムローラ４２をモータ等で駆動して自動でフィルムＦを送るようにしても良い。
【００５０】
これにより、フィルムクリーナ１０の内部では、フィルムＦの移動に伴ってゴムローラ４２が回転しつつフィルムＦを除去部材２６に押し付け、磁気記録層７６が除去部材２６に摺動することによって磁気記録層７６に付着した汚れが除去部材２６で除去される。
【００５１】
次に、磁気記録層７６の汚れ除去を行ったフィルムＦを複数本連結し、長尺のロール状フィルムを形成する。
【００５２】
プリンタ３００にセットされた長尺のロール状フィルムが搬送ローラ３５６によって引き出されると、磁気ヘッド３７１は、搬送されるフィルムＦから磁気記録層７６に記録された磁気情報（フィルムＦの１本毎に必要な情報や画像コマ７８毎に対応する情報）を読み取る。プリンタ３００は、読み取った磁気情報に基づいて、露光処理を行う。
【００５３】
磁気ヘッド３７１には、汚れの付着していない磁気記録層７６が摺動するので、磁気情報を確実に読み取る事が出来、磁気情報を基にして高品質のプリントを得ることができる。また、磁気ヘッド３７１に汚れが生じ難くなる。
［第２の実施形態］
本発明の第２の実施形態に係るフィルムクリーナを図９乃至図１１にしたがって説明する。なお、前述した実施形態と同一構成には同一符号を付し、その説明は省略する。
【００５４】
図９及び図１０に示すように、本実施形態の下部１２Ｂは、フィルムＦの長手方向に沿って長く形成されており、上部１２Ａよりも突出した部分には、蝶番４２０を介して蓋４２２，４２４が開閉可能に取り付けられている。なお、蓋４２２，４２４には、各々ツマミ４２５が取り付けられている。
【００５５】
図１０及び図１１に示すように、矢印Ｒ方向側の蓋４２４には、下部１２Ｂと対向する面にフィルムＦの先端形状を形成するカッタとしてのビク刃４２６が取り付けられている。
【００５６】
一方、矢印Ｒ方向とは反対方向の蓋４２２には、下部１２Ａと対向する面にフィルムＦの後端（カートリッジのスプールに係合する側）形状を形成するカッタとしてのビク刃４２８が取り付けられている。
【００５７】
なお、下部１２Ｂには、ビク刃４２６，４２８の当接する部分に浅溝１８の形成された塩ビ板４３０が取り付けられている。
【００５８】
ところで、フィルムＦは、現像所において自動現像機によって現像処理を行っているが、自動現像機のなかには、図１２に示すように、ハンガー５００で吊り下げられた状態のフィルムＦを処理液の貯留された処理槽にハンガー５００ごと浸漬して現像処理（いわゆる吊現処理）を行う形式のものがある。このように、フィルムＦを吊現処理を行う場合には、フィルムＦの先後端を重り付きのクリップ５０２で挟持するため、フィルムＦの前後端が変形してしまう。このため、現像処理後にフィルムＦの変形した部分を切断（リシェーパ）する必要がある。
【００５９】
本実施形態のフィルムクリーナ１０は、吊現処理されたフィルムＦの汚れ除去と先後端のリシェーパとを行うことができるものである。
【００６０】
次に、本実施形態のフィルムクリーナ１０の使用方法を説明する。
【００６１】
先ず、吊現処理されたフィルムＦを図１１に示すように挿通路２０に差し込み、変形した先端部ＦＴを所定寸法突出させる。次に、蓋４２４を閉めてビク刃４２６でフィルムＦの先頭側を切断する。これによって、フィルムＦの先頭側の変形部分が切り落とされ、先頭形状が新たに形成される。
【００６２】
その後、フィルムＦを引き出して、フィルムＦの汚れ除去を行い、図９に示すように、フィルムＦの変形した後端部ＦＥが所定寸法突出している状態で蓋４２２を閉めてビク刃４２８でフィルムＦの後端側を切断する。これによって、フィルムＦの後端側の変形部分が切り落とされ、後端形状が新たに形成される。
【００６３】
なお、フィルムクリーナ１０は、前述した実施形態のように単体で用いても良いが、磁気ヘッドを備えた機器に組み込んでも良い。
【００６４】
例えば、前述したプリンタ３００にフィルムクリーナ１０を組み込む場合には、図１３に示すように、磁気情報再生部３７２の上流側にフィルムクリーナ１０を組み込めば良い。
【００６５】
なお、フィルムクリーナ１０を組み込む機器としては、プリンタの他に、フィルムスプライサ、現像機、検定機、フィルムをカートリッジに戻すアタッチャ、フィルムをカートリッジから取り出すデタッチャ、フィルムを処理用のリールへ巻き換える巻換機等がある。
【００６６】
【発明の効果】
請求項１に記載のフィルムクリーナは上記の構成としたので、磁気記録層に付着した付着物を除去することができ、磁気ヘッドへの汚れ付着を防止できるという優れた効果を有する。
【００６７】
写真フィルム又はフィルムクリーナの少なくとも一方を移動させれば、除去部材が磁気記録層の表面を摺動して付着物を除去することができ、除去部材を写真フィルムに押しつける必要が無くなり、作業が簡単になる、という優れた効果を有する。
【００６８】
写真フィルム又はフィルムクリーナの少なくとも一方を移動させるときの摺動抵抗が軽減され、擦り傷を防止することができる、という優れた効果を有する。
【００６９】
請求項２に記載のフィルムクリーナは上記の構成としたので、乾燥状態よりも汚れの除去作用が高まり、静電気の発生も防止できる、という優れた効果を有する。
【００７０】
また、請求項３に記載のフィルムクリーナは上記の構成としたので、変形をきたした写真フィルムの端部をカッタで切断することができ、これによって端部を新たに所定形状に形成することができる、という優れた効果を有する。
【図面の簡単な説明】
【図１】本発明の第１の実施形態に係るフィルムクリーナの斜視図である。
【図２】図１に示すフィルムクリーナの断面図である。
【図３】図１に示すフィルムクリーナを逆さにした斜視図である。
【図４】図１に示すフィルムクリーナのローラの軸受け部分周辺を示す断面図である。
【図５】磁気記録層が形成されたフィルムの断面図である。
【図６】磁気記録層が形成されたフィルムの平面図である。
【図７】プリンタの概略構成図である。
【図８】（Ａ）は、フィルムから磁気情報を読み取る際の磁気情報再生部の側面図であり、（Ｂ）は、フィルムから磁気情報を読み取る必要の無いときの磁気情報再生部の側面図である。
【図９】本発明の第２の実施形態に係るフィルムクリーナの斜視図である。
【図１０】図９に示すフィルムクリーナの側面図である。
【図１１】蓋を開いたフィルムクリーナの斜視図である。
【図１２】ハンガーに吊り下げられたフィルムの側面図である。
【図１３】フィルムクリーナを組み込んだプリンタの概略構成図である。
【符号の説明】
Ｆ      フィルム（写真フィルム）
１０    フィルムクリーナ
２６    除去部材
４２    ゴムローラ
【図１】
0003590144.tif 000002
【図２】
0003590144.tif 000003
【図３】
0003590144.tif 000004
【図４】
0003590144.tif 000005
【図５】
0003590144.tif 000006
【図６】
0003590144.tif 000007
【図７】
0003590144.tif 000008
【図８】
0003590144.tif 000009
【図９】
0003590144.tif 000010
【図１０】
0003590144.tif 000011
【図１１】
0003590144.tif 000012
【図１２】
0003590144.tif 000013
【図１３】
0003590144.tif 000014